(57)【要約】      （修正有）【課題】１台のリモコン送信機で制御される複数台の照明器具における部品点数を減少させるとともに、チャンネル設定の作業性を改善できるＬＥＤ照明器具制御装置を提供する。【解決手段】照明器具２０、２１は、器具本体に、発光部、発光部に電力を供給する電源部、発光部を覆うグローブを有する。また、送信機３０からの信号を受信して発光部を制御する制御部が設けられている。送信機３０は、第１照明器具２０に対応する第１チャンネルスイッチと、第２照明器具に対応する第２チャンネルスイッチとを有する。送信機３０は、第１チャンネルスイッチまたは第２チャンネルスイッチが選択された状態で、送信ボタンの操作によりチャンネル設定コードを送信可能な送信部を有する。そして、第１照明器具２０および第２照明器具２１は、あらかじめ定められた点灯状態において、送信機３０からのチャンネル設定コードを受信して、制御部がチャンネル設定する。【選択図】図１
2014154383.tif 000002
【特許請求の範囲】
【請求項１】
取付面に取り付けられる少なくとも１以上の照明器具と、
前記照明器具を操作可能な送信機とを備え、
前記照明器具は、
器具本体と、
前記器具本体に設けられた発光部と、
前記器具本体に設けられ、前記発光部に電力を供給する電源部と、
前記器具本体に支持されて前記発光部を覆うグローブと、
前記送信機からの信号を受信部により受信して前記発光部を制御する制御部とを有し、
前記送信機は、
チャンネルスイッチおよび送信ボタンの操作により前記チャンネルスイッチに応じたチャンネル設定コードを送信可能な送信部と、を有し、
前記照明器具は、あらかじめ定められた点灯状態において、前記送信機からの前記チャンネル設定コードを前記受信部が受信して前記制御部がチャンネル設定するＬＥＤ照明器具制御装置。
【請求項２】
請求項１に記載のＬＥＤ照明器具制御装置において、
前記照明器具を複数有し、
前記送信機は、前記各照明器具に応じた複数の前記チャンネルスイッチのうちのいずれか１つが選択された状態で前記チャンネル設定コードを送信可能であるＬＥＤ照明器具制御装置。
【請求項３】
請求項１または請求項２に記載のＬＥＤ照明器具制御装置において、
前記あらかじめ定められた点灯状態は、出荷時に選択された常夜灯点灯状態であるＬＥＤ照明器具制御装置。
【発明の詳細な説明】
【技術分野】
【０００１】
本発明は、１台の送信機により、複数台のＬＥＤ照明器具に制御信号を送信して、照明器具の点灯および消灯等を制御するＬＥＤ照明器具制御装置に関するものである。
【背景技術】
【０００２】
従来、天井等の取付面に取り付けられた複数台の照明器具に、１台の送信機から制御信号を送信して、点灯および消灯等を制御する照明装置が知られている（例えば、特許文献１参照）。
図５に示すように、特許文献１に記載の照明装置は、リモコン送信機１００を有するこのリモコン送信機１００は、指定信号と、この指定信号が指定するチャンネルが設定された複数台のうちの１台の照明器具（図示省略）を動作させる制御信号を送信するものである。
【０００３】
リモコン送信機１００は、制御する照明器具を指定すべくチャンネルを切り替えるためのリモコンチャンネル切替スイッチ１０３を有する。また、指定した照明器具を点灯させる制御信号を送信させる「入」スイッチ１０１および照明器具を消灯させる制御信号を送信させる「切」スイッチ１０２を有する。さらに、人感センサ１０４、人感動作切替スイッチ１０５、表示用ＬＥＤ１０６、その他のスイッチ１０８等を有する。そして、制御信号を出力する赤外線ＬＥＤ１０７を有する。
【０００４】
リモコン送信機１００は、指定信号が異なる複数の制御信号をリモコンチャンネル切替スイッチ１０３で切り替えて送信することが可能である。
これにより、１台のリモコン送信機１００で、複数台のうちの１台の照明器具を指定して制御することができる。
【０００５】
また、図示はしないが、照明器具は、光源と、リモコン送信機１００から送信された制御信号を受信する受信部と、光源の点灯状態等の動作を制御する制御部と、を有する。
さらに、照明器具は、受信部が所望の動作を制御する制御信号と異なる制御信号を受信した場合、受信部が異なる制御信号を受信したことを報知する報知手段を備えている。
これにより、使用者は、リモコン送信機１００の操作により照明装置が所望の動作をしない原因が、リモコン送信機１００または照明器具の故障によるものではなく、リモコン送信機１００から異なる制御信号を送信したためであることを認識できる。
そして、異なる制御信号を送信したことを認識した使用者は、所望の動作を制御する制御信号を送信すべく設定を変更する。
【先行技術文献】
【特許文献】
【０００６】
【特許文献１】特開２０１２−２２１６２４号公報（第６図）
【発明の概要】
【発明が解決しようとする課題】
【０００７】
一般に、１台のリモコン送信機で複数台の照明器具を制御する場合には、各照明器具側にチャンネル設定スイッチが設けられている。そして、このチャンネル設定スイッチを押すことで、チャンネル設定待ち状態となる。この待ち状態の時に、リモコン送信機からチャンネル情報を持つ信号を受信すると、そのチャンネルに設定される。
このため、照明器具側にはチャンネル設定スイッチが必要となっており、部品点数が増加するという問題があった。
また、高所に取り付けた照明器具のグローブを外し、チャンネル設定スイッチを押す必要があるため、チャンネル設定の作業性が悪いという問題があった。
【０００８】
本発明は、従来の問題を解決するためになされたもので、１台のリモコン送信機で制御される複数台の照明器具における部品点数を減少させるとともに、チャンネル設定の作業性を改善することができるＬＥＤ照明器具制御装置を提供することを目的とする。
【課題を解決するための手段】
【０００９】
本発明のＬＥＤ照明器具制御装置は、取付面に取り付けられる少なくとも１以上の照明器具と、前記照明器具を操作可能な送信機とを備え、前記照明器具は、器具本体と、前記器具本体に設けられた発光部と、前記器具本体に設けられ、前記発光部に電力を供給する電源部と、前記器具本体に支持されて前記発光部を覆うグローブと、前記送信機からの信号を受信部により受信して前記発光部を制御する制御部とを有し、前記送信機は、チャンネルスイッチおよび送信ボタンの操作により前記チャンネルスイッチに応じたチャンネル設定コードを送信可能な送信部と、を有し、前記照明器具は、あらかじめ定められた点灯状態において、前記送信機からの前記チャンネル設定コードを前記受信部が受信して前記制御部がチャンネル設定するものである。
【００１０】
さらに、本発明のＬＥＤ照明器具制御装置は、前記照明器具を複数有し、前記送信機は、前記各照明器具に応じた複数の前記チャンネルスイッチのうちのいずれか１つが選択された状態で前記チャンネル設定コードを送信可能であるものである。
【００１１】
また、本発明のＬＥＤ照明器具制御装置は、前記あらかじめ定められた点灯状態は、出荷時に選択された常夜灯点灯状態であるものである。
【発明の効果】
【００１２】
本発明は、複数の照明器具が、あらかじめ定められた点灯状態において、送信機からのチャンネル設定コードを受信して、制御部がチャンネル設定する。これにより、１台のリモコン送信機で制御される複数の照明器具において、チャンネル設定用のスイッチを設ける必要がなくなり、部品点数を減少させることができる。また、高所に取り付けた複数の照明器具における作業が不要となるので、チャンネル設定の作業性を改善することができるという効果を有するＬＥＤ照明器具制御装置を提供できる。
【図面の簡単な説明】
【００１３】
【図１】本発明に係る実施形態のＬＥＤ照明器具制御装置の全体斜視図
【図２】第１照明器具の分解斜視図
【図３】（Ａ）リモコン送信機の正面図であり、（Ｂ）はリモコン送信機の蓋を開いた状態の正面図
【図４】リモコン送信機における回路ブロック図
【図５】従来の照明装置におけるリモコン送信機の正面図
【発明を実施するための形態】
【００１４】
以下、本発明に係る実施形態のＬＥＤ照明器具制御装置について、図面を用いて説明する。
図１に示すように、本発明に係る実施形態のＬＥＤ照明器具制御装置１０は、複数の照明器具である第１照明器具２０および第２照明器具２１と、第１照明器具２０および第２照明器具２１を個別に操作可能なリモコン送信機（送信機）３０とを有する。
第１照明器具２０および第２照明器具２１は、取付面である天井面１１等に取り付けられて主に下方を照明するのに用いることができる。
なお、以下に説明する実施形態において、少なくとも１以上の、すなわち複数の照明器具として第１照明器具２０および第２照明器具２１を例示するが、本発明は３以上の照明器具を有するＬＥＤ照明器具制御装置にも適用可能である。
【００１５】
第１照明器具２０および第２照明器具２１は、同じ構造の照明器具を用いることができるが、異なる構造の照明器具を用いることも可能である。以下においては、同じ構造の照明器具を用いる場合を示し、代表して第1照明器具２０について説明する。
また、以下の説明においては、第１照明器具２０を天井面１１に取り付けて下方を照明する場合について説明する。従って、特に示す場合を除き、上（上方、上側等）は天井面側を意味し、下（下方、下側等）は床面側を意味する。
【００１６】
図２に示すように、第１照明器具２０は、天井面１１に取り付けられる例えば円板状の器具本体２２を有する。
器具本体２２の中央には、天井面１１に設けられている引っ掛けシーリング（図示省略）に取り付けて、点灯電力等の供給を受けるための電源部２４が設けられている。電源部２４に近接した器具本体２２の下面２２１には、制御部２７が取り付けられており、電源部２４から電力の供給を受ける。制御部２７は受光部（図示省略）を有しており、リモコン送信機３０からの制御信号を受光して、制御部２７に伝達する。
また、器具本体２２の下面２２１における周縁部には、複数個（ここでは、例えば３個）のグローブ取付具２２２が取り付けられている。
【００１７】
器具本体２２の下面２２１には、ＬＥＤ（図示省略）を器具本体２２の中心を中心とする半円形状に配置した一対のＬＥＤユニット（発光部）２３が設けられている。一対のＬＥＤユニット２３は、互いに対向して配置されており、全体として円形を構成する。一対のＬＥＤユニット２３は、制御部２７を介して点灯電力が供給されて、種々の態様で点灯する。また、一対のＬＥＤユニット２３の内側には、常夜灯２８が設けられている。
一対のＬＥＤユニット２３の前方（下方）には、光を効率的に取り出せるような透過性のあるレンズ２５が取り付けられる。
さらに、レンズ２５の前方には、受けた光を拡散させるグローブ２６が、グローブ取付具２２２によって器具本体２２に着脱可能に取り付けられる。
【００１８】
従って、電源部２４は商用電源から電力（ＡＣ）を供給されて、ＡＣ電力をＤＣ出力に変換して、制御部２７に電力を供給する。制御部２７はＬＥＤユニット２３に電力を供給し、ＬＥＤユニット２３や常夜灯２８を点灯させる。
ＬＥＤユニット２３や常夜灯２８から発せられた光は、グローブ２６を透過して下方に照射される。
【００１９】
図３（Ａ）に示すように、リモコン送信機３０は、矩形箱状を呈しており、表板３１がヒンジ３１１を介して開閉可能となっている。
表板３１の表面（外面）には、点灯スイッチ３２および消灯スイッチ３３が設けられており、第１照明器具２０または第２照明器具２１の点灯および消灯を行う。
なお、表板３１は、リモコン送信機３０に対してレールを介して開閉するスライド式の構造であってもよい。
【００２０】
また、表板３１には、明るさを調整する明るさ調整部３４が設けられており、明るさ調整部３４の上部を押すことにより明るくし、下部を押すことにより暗く調整できる。
また、表板３１には、色調整部３５が設けられており、色調整部３５の上部を押すことにより白い色にし、下部を押すことにより暖かい色に調整できる。
さらに、表板３１には、常夜灯２８を点灯させる常夜灯スイッチ３６も設けられている。
【００２１】
図３（Ｂ）に示すように、ヒンジ３１１を中心として表板３１を開けると、送信機本体３７が現れる。
送信機本体３７には、複数個のボタンＢＴ１〜ＢＴ８が設けられている。表板３１の点灯スイッチ３２の下側（裏側）には、ボタンＢＴ５が点灯スイッチ３２の裏面に接するように位置する。表板３１の消灯スイッチ３３の下側には、ボタンＢＴ６が消灯スイッチ３３の裏面に接するように位置する。
【００２２】
明るさ調整部３４の上部の下側には、ボタンＢＴ３が接するように位置し、明るさ調整部３４の下部の下側には、ボタンＢＴ４が接するように位置する。
色調整部３５の上部の下側には、ボタンＢＴ１が接するように位置し、色調整部３５の下部の下側には、ボタンＢＴ２が接するように位置する。
常夜灯スイッチ３６の下側には、ボタンＢＴ７が常夜灯スイッチ３６の裏面に接するように設けられている。
【００２３】
さらに、送信機本体３７の下部には、チャンネル設定ボタンであるボタンＢＴ８およびチャンネル切替スイッチＳＷ１が設けられている。ボタンＢＴ８およびチャンネル切替スイッチＳＷ１は、表板３１を開けたときのみ出現する。
表板３１を閉じたときには、ボタンＢＴ８およびチャンネル切替スイッチＳＷ１の上にはスイッチ類は設けられていないので、表板３１を開けたときのみ操作可能となっている。
また、送信機本体３７の先端面（図３（Ａ）および図３（Ｂ）において上端面）には、制御信号を発する送信用発光ダイオードＬＥＤ１が設けられている。
【００２４】
図４に示すように、リモコン送信機３０は、送信制御部ＣＴＲを有する。送信制御部ＣＴＲは、電源ピンＶＤＤを介して、バッテリー等の電源（図示省略）から電力を供給される。
送信制御部ＣＴＲには、送信機本体３７に設けられているボタンＢＴ１〜ＢＴ８およびチャンネル切替スイッチＳＷ１が接続されている。
送信制御部ＣＴＲには、液晶表示部ＬＣＤが設けられており、点灯スイッチ３２、消灯スイッチ３３、明るさ調整部３４、色調整部３５、常夜灯スイッチ３６等を点灯させて表示する。
【００２５】
また、送信制御部ＣＴＲには、制御信号を発する送信部３８が接続されている。送信部３８は、トランジスタＴｒ１および抵抗Ｒ１を有する出力Ｈｉｇｈ側の回路と、トランジスタＴｒ２および抵抗Ｒ２を有する出力Ｌｏｗ側の回路を有する。出力Ｈｉｇｈ側の回路および出力Ｌｏｗ側の回路には、送信用発光ダイオードＬＥＤ１が接続されている。チャンネル設定ボタンＢＴ８を押した場合のみ、出力Ｌｏｗ側の回路がＯＮになり、出力を落とした信号が送信される。
【００２６】
次に、リモコン送信機３０による制御動作について説明する。
まず最初に、第１照明器具２０および第２照明器具２１を天井面１１に取り付けた後に、第１照明器具２０および第２照明器具２１を区別するチャンネル設定を行う。
第１照明器具２０および第２照明器具２１の電源部２４を、天井面１１の引っ掛けシーリングに接続すると、出荷時の設定により、第１照明器具２０および第２照明器具２１は常夜灯点灯モードになる。
なお、チャンネル設定は、初期状態である常夜灯点灯モードのときのみ行うことができるようになっている。
【００２７】
続いて、チャンネル切替スイッチＳＷ１をチャンネル１（ＣＨ１）（第１チャンネルスイッチ）に合わせて第１照明器具２０を選択し、第１照明器具２０に向かってチャンネル設定ボタンＢＴ８を長押しする。
これにより、第１照明器具２０は、常夜灯点灯モード→全点灯モード→調光モード→消灯へと移行して、チャンネル設定を完了する。
続いて、チャンネル切替スイッチＳＷ１をチャンネル２（ＣＨ２）（第２チャンネルスイッチ）に合わせて第２照明器具２１を選択し、第２照明器具２１に対しても同様の手順でチャンネルを決定する。
【００２８】
なお、チャンネル設定が完了したことを報知するために、チャンネル設定ボタンＢＴ８を長押しすることにより、常夜灯点灯モード→全点灯モード→調光モード→消灯へと移行する例を説明したが、この他にも例えばチャンネル設定ボタンＢＴ８を長押しではない通常の押し方で、常夜灯点灯モード→調光モード、あるいは常夜灯点灯モード→消灯、または常夜灯点灯モード→常夜灯点滅モード（チャンネル番号と同じ回数の点滅）等としてもよい。
【００２９】
次に、リモコン送信機３０による第１照明器具２０および第２照明器具２１の制御動作について説明する。
第１照明器具２０を点灯させる際には、表板３１を開けてチャンネル切替スイッチＳＷ１をチャンネル１（ＣＨ１）に合わせる。表板３１を閉じて、リモコン送信機３０を第１照明器具２０に向けて点灯スイッチ３２を押す。点灯スイッチ３２を押すと、ボタンＢＴ５が押下げられて、送信制御部ＣＴＲから点灯を指令する制御信号が発せられて、ＬＥＤユニット２３が点灯する。
第１照明器具２０を消灯する際には、消灯スイッチ３３を押す。消灯スイッチ３３を押すと、ボタンＢＴ６が押下げられて、送信制御部ＣＴＲから消灯を指令する制御信号が発せられて、ＬＥＤユニット２３が消灯する。
【００３０】
第１照明器具２０の明るさを調整する際には、明るさ調整部３４の上部または下部を押す。明るさ調整部３４の上部を押すと、ボタンＢＴ３が押下げられて、ＬＥＤユニット２３の明るさを増す制御信号が発せられる。また、明るさ調整部３４の下部を押すと、ボタンＢＴ４が押下げられて、ＬＥＤユニット２３を暗くする制御信号が発せられる。
第１照明器具２０の色合いを調整する際には、色調整部３５の上部または下部を押す。色調整部３５の上部を押すと、ボタンＢＴ１が押下げられて、ＬＥＤユニット２３を白くする制御信号が発せられる。また、色調整部３５の下部を押すと、ボタンＢＴ２が押下げられて、ＬＥＤユニット２３を暖かい色にする制御信号が発せられる。
第１照明器具２０を常夜灯点灯モードにする際には、常夜灯スイッチ３６を押す。常夜灯スイッチ３６を押すと、ボタンＢＴ７が押下げられて、常夜灯２８を点灯させる制御信号が発せられる。
【００３１】
なお、第２照明器具２１を制御する際には、表板３１を開けてチャンネル切替スイッチＳＷ１をチャンネル２（ＣＨ２）に合わせる。そして、表板３１を閉じて、リモコン送信機３０を第２照明器具２１に向けて、第１照明器具２０の場合と同様の操作を行う。
【００３２】
本発明のＬＥＤ照明器具制御装置１０の作用効果について説明する。
第１照明器具２０および第２照明器具２１は、１台のリモコン送信機３０により操作可能となっている。第１照明器具２０および第２照明器具２１は、器具本体２２に、ＬＥＤユニット２３、ＬＥＤユニット２３に点灯電力を供給する電源部２４、ＬＥＤユニット２３の前方を覆うグローブ２６等を有する。また、器具本体２２には、リモコン送信機３０からの信号を受信部により受信してＬＥＤユニット２３を制御する制御部２７が設けられている。
【００３３】
リモコン送信機３０は、第１照明器具２０に対応するチャンネル切替スイッチＳＷ１のチャンネル１（ＣＨ１）と、第２照明器具２１に対応するチャンネル２（ＣＨ２）を有する。また、リモコン送信機３０は、チャンネル切替スイッチＳＷ１のチャンネル１（ＣＨ１）およびチャンネル２（ＣＨ２）のうちの一方が選択された状態で、チャンネル設定ボタンＢＴ８の操作によりチャンネル設定コードを送信可能な送信部３８を有する。
そして、第１照明器具２０および第２照明器具２１は、あらかじめ定められた常夜灯点灯モードにおいて、リモコン送信機３０からのチャンネル設定コードを受信部が受信して、制御部２７がチャンネル設定する。
【００３４】
このため、１台のリモコン送信機３０で制御される第１照明器具２０および第２照明器具２１において、チャンネル設定用のスイッチを設ける必要がなくなり、部品点数を減少させることができる。
また、高所に取り付けた第１照明器具２０および第２照明器具２１における作業が不要となるので、チャンネル設定の作業性を改善することができる。
【００３５】
第１照明器具２０および第２照明器具２１は、あらかじめ常夜灯点灯モードに定められているので、第１照明器具２０および第２照明器具２１を取り付けた後に、直ちにリモコン送信機３０からの制御信号を受けることが可能となる。
また、第１照明器具２０および第２照明器具２１を取り付けたときに、いきなり常夜灯２８が点灯しても、ユーザは眩しくない。
【００３６】
本発明のＬＥＤ照明器具制御装置は、前述した実施形態に限定されるものでなく、適宜な変形、改良等が可能である。
すなわち、前述した実施形態においては、チャンネル切替スイッチＳＷ１として、スライド式のスイッチを例示したが、複数台の照明器具のうちの１台のみが選択可能となるスイッチであれば、例えば回転式等のその他の型式のものでもよい。
また、前述した実施形態において、少なくとも１以上の、すなわち複数の照明器具として第１照明器具２０および第２照明器具２１を例示したが、本発明は３以上の照明器具を有するＬＥＤ照明器具制御装置にも適用可能である。
【符号の説明】
【００３７】
１０  ＬＥＤ照明器具制御装置
１１  天井面（取付面）
２０  第１照明器具
２１  第２照明器具
２２  器具本体
２３  ＬＥＤユニット（発光部）
２４  電源部
２６  グローブ
２７  制御部
３０  リモコン送信機（送信機）
３８  送信部
ＢＴ８  チャンネル設定ボタン（送信ボタン）
ＣＨ１  チャンネル１（第１チャンネルスイッチ）
ＣＨ２  チャンネル２（第２チャンネルスイッチ）
【図１】
2014154383.tif 000003
【図２】
2014154383.tif 000004
【図３】
2014154383.tif 000005
【図４】
2014154383.tif 000006
【図５】
2014154383.tif 000007